(57)【要約】【課題】ワイヤレススピーカーシステムで自動でスピーカー位置設定を行う機能を提供する。【解決手段】第１の装置と、少なくとも１つの第２の装置をペアリングしてネットワークを構成するスピーカシステムであって、前記第１の装置は、前記第２の装置の位置情報を指示する指示手段と、前記第１の装置あるいは前記第２の装置のいずれかに、前記指示手段で指示された位置情報から出力チャンネルの割り当てを変更するチャンネル割当変更手段とを備える。【選択図】図１
2010252134.tif 000002
【特許請求の範囲】
【請求項１】
第１の装置と、少なくとも１つの第２の装置をペアリングしてネットワークを構成するスピーカシステムであって、
前記第１の装置は、
前記第２の装置の位置情報を指示する指示手段と、
前記第１の装置あるいは前記第２の装置のいずれかに、前記指示手段で指示された位置情報から出力チャンネルの割り当てを変更するチャンネル割当変更手段とを備えることを特徴としたスピーカシステム。
【請求項２】
前記第２の装置は、テスト信号を発生するテスト信号発生手段と、
前記指示手段は、前記テスト信号発生手段で発生したテスト信号をもとに、前記第２の装置の位置情報を指示することを特徴とする請求項１のスピーカシステム。
【発明の詳細な説明】
【技術分野】
【０００１】
本発明は、サラウンド音声を再生可能なスピーカーシステムにおいて、有線または無線のスピーカーとシアターの設定及び制御に関するものである。
【背景技術】
【０００２】
近年、デジタルテレビ放送やブルーレイディスク等の普及により、従来のステレオ２チャンネルを遥かに越える８チャンネル等の多数のサラウンド音声チャンネルを含むコンテンツが増加し、それら多チャンネルのサラウンド音声を簡単で手軽に楽しめるホームシアターシステムの登場が望まれている。通常、ホームシアターのスピーカーを設置する場合はシアター側の接続端子やスピーカー自身に固定的に設定された位置に従って設置する。
特許文献１には、ヘッドホンであればボタンの配置で位置を認識することが出来ることが開示されている。
特許文献２には、音量等の補正機能を供する目的で測定マイクを有するシアターの場合は、スピーカー設置後にマイクを視聴位置に置き、テスト信号を受信することでスピーカーの位置を検出する方法を用いることが開示されている。
【先行技術文献】
【特許文献】
【０００３】
【特許文献１】特開２００５−２８６９１９号公報
【特許文献２】特開２００７−２８４３７号公報
【発明の概要】
【発明が解決しようとする課題】
【０００４】
ところが、特許文献１では、ワイヤレススピーカーを設置する場合にディップスイッチやボタン等で位置設定を切り替えるためには、ヘッドホンとは異なり物理的に離れた位置にあるスピーカーまでユーザーが移動し、設定や操作が必要で簡単さや手軽さの面で問題がある。
【０００５】
また特許文献2では、基本的に音源の方向を検出できるマイクは高価であるため、全てのホームシアターに用いることが難しい。
【０００６】
そこで、本発明は、スピーカーシステムにおいてユーザーが簡便にスピーカー位置設定を行う機能を低コストで提供することを目的とする。
【課題を解決するための手段】
【０００７】
上記目的を達成するために、本発明のスピーカーシステムは、第１の装置と、少なくとも１つの第２の装置をペアリングしてネットワークを構成するスピーカシステムであって、前記第１の装置は、前記第２の装置の位置情報を指示する指示手段と、前記第１の装置あるいは前記第２の装置のいずれかに、前記指示手段で指示された位置情報から出力チャンネルの割り当てを変更するチャンネル割当変更手段とを備える。
【０００８】
このような構成により、スピーカーが操作キーを備える場合やユーザーがスピーカーの電源等の投入と切断が制御できる場合は、ユーザーがシアター本体のＵＩの表示にしたがって、指定された位置のスピーカーのボタン操作や電源ＯＮ／ＯＦＦ等をすることにより、本体側でそれぞれの変化タイミングを元にスピーカー自身や接続された端子を識別し、動的に音声チャンネルの割り当てを変更ことにより、それぞれのスピーカーから正しい音声チャンネルを出力させることが出来る。
【発明の効果】
【０００９】
本発明は位置設定にディップスイッチ等のユーザー設定を必要としないため、ユーザーの操作性を向上しつつ設定ミスなどの問題を回避することが出来る。また、既存製品で必要としていたスイッチ機構や出荷時のスイッチ設定工程が省略できるため、生産性が向上する。同様に位置設定だけのために測定マイクを付加する必要がなくなるため、比較的低コストな製品においても自動設定機能を提供できるという利点がある。
【図面の簡単な説明】
【００１０】
【図１】本発明の実施の形態１にかかるスピーカーシステムの外形図
【図２】本発明の実施の形態１にかかるシアター本体の構成図
【図３】本発明の実施の形態１および実施の形態２にかかるワイヤレススピーカーの構成図
【図４】本発明の実施の形態２にかかるシアター本体の構成図
【図５】本発明の実施の形態１にかかるシアター本体の自動位置設定時のフローチャート
【図６】本発明の実施の形態２にかかるシアター本体の自動位置設定時のフローチャート
【発明を実施するための形態】
【００１１】
（実施の形態１）
図１は、本発明の実施の形態１にかかるスピーカシステムの一例であるワイヤレスシアターシステムの外形図である。本発明の実施の形態１のワイヤレスシアターシステムは、シアター本体１と、２〜４本のワイヤレススピーカー２と、プラズマディスプレイ３および赤外線リモコン４からなる。
図２は、本発明の実施の形態１のワイヤレスシアターシステムを構成するシアター本体１の構成図である。シアター本体１は、ユーザーインターフェース処理部５、機器ＩＤ検出部６、スピーカーＣＨ設定処理部７、赤外線リモコン受信部８、無線送受信部９、ＨＤＭＩ映像音声入出力１０、音声信号処理部１１、スピーカー設定記憶部１２からなる。この内、ユーザーインターフェース処理部５、機器ＩＤ検出部６、スピーカーＣＨ設定処理部７は処理装置ＭＰＵ上でソフトウェアによって実行される。
図３は、本発明の実施の形態１のワイヤレスシアターシステムを構成するワイヤレススピーカー２の構成図である。ワイヤレススピーカー２は、ペアリングボタン１３、無線送受信部１４、音声アンプ出力部１５、電源スイッチ１６、通信データ処理部１７、受信ＣＨ切り替え処理部１８、機器ＩＤ記憶部１９、受信ＣＨ設定記憶部２０からなる。この内、通信データ処理部１７、受信ＣＨ切り替え処理部１８は処理装置ＭＰＵ上でソフトウェアによって実行される。
図４は、実施の形態１にかかるシアター本体の自動位置設定時におけるワイヤレスシアターシステムの処理装置ＭＰＵの動作を示すフローチャートである。
以下、図１〜図４を参照して、本発明の実施の形態１のワイヤレスシアターシステムの動作を詳細に説明する。
【００１２】
スピーカーの設置設定をする際のシアターシステムの動作は、図４のように、まずシアター本体１のユーザーインターフェース処理部５にてスピーカーの位置設定を開始することをユーザーに通知する画面を生成し、ＨＤＭＩ映像音声入出力１０を経由してプラズマディスプレイ３に出力する（Ｓ１００）。次に、同様にして全てのスピーカーの電源を切断することを促す画面をディスプレイ３に出力する（Ｓ１０１）。この時、機器ＩＤ検出部６で、現在起動しているワイヤレススピーカーを判別し、その個数が０になるまで、全てのスピーカーの電源を切断することを促す画面をプラズマディスプレイ３に出力し続ける（Ｓ１０２）。シアター本体１はすべてのワイヤレススピーカー２の電源が切断されたことを認識すると、ディスプレイ３にてユーザーに右前方のワイヤレススピーカー２の電源投入を促す画面をディスプレイ３に出力する（Ｓ１０３）。ユーザーが指示に従って右前方のにあるワイヤレススピーカー２の電源を投入すると、ワイヤレススピーカー２の通信データ処理部１７はシアター本体１が管理するネットワークに参加し、機器ＩＤ記憶部１９に記録された機器固有のＩＤ情報を無線送受信部１４からシアター本体１に送る。シアター本体１はネットワークに新規に参加してＩＤ情報を送信したワイヤレススピーカー２を機器ＩＤ検出部６で識別し（Ｓ１０４）、スピーカー設定記憶部１２にワイヤレススピーカー２の「ＩＤ情報と右前という位置情報」を保存する（Ｓ１０５）。
【００１３】
次に、ディスプレイ３にてユーザーに左前方のワイヤレススピーカー２の電源投入を促す画面をディスプレイ３に出力する（Ｓ１０３）。ユーザーが電源を投入すると、ワイヤレススピーカー２はシアター本体１が管理するネットワークに参加し、機器ＩＤ記憶部１９に記録された機器固有のＩＤ情報をシアター本体１に送る。シアター本体１は機器ＩＤ検出部６で起動し新規にネットワークに参加したワイヤレススピーカー２を識別し（Ｓ１０４）、スピーカー設定記憶部１２にワイヤレススピーカー２の「ＩＤ情報と左前という位置情報」を保存する（Ｓ１０５）。ワイヤレススピーカーが２本の場合は以上で設定は終了する。２本以上の場合も同様の処理を繰り返して、右後方、左後方と設定を行う（Ｓ１０６）。
シアター本体１は全てのワイヤレススピーカー２の位置情報をスピーカー設定記憶部１２に保存した後、スピーカー設定記憶部１２に記録されたスピーカーの台数に合わせて音声信号処理部１１で必要なサラウンド音声チャンネルの合成及び分離の制御を行う。同時にスピーカー設定記憶部１２に記録されたそれぞれの位置設定にしたがって、適切なチャンネルを受信するように全てのワイヤレススピーカーの受信チャンネル設定をワイヤレススピーカー２の制御装置に指示する（Ｓ１０７）。ワイヤレススピーカー２では受信ＣＨ切り替え処理部１８がシアター本体１から指示された受信チャンネル設定に従って無線送受信部１４に受信チャンネルを設定する。また、受信ＣＨ設定記憶部２０に受信チャンネル設定を記録し次回以降の起動時にシアター本体１からの指示か無かった場合の受信チャンネル設定として利用する。これにより、メニューやディップスイッチなどの特別な操作を必要とせずに、設置位置に合わせた適切な音声チャンネルを各スピーカーで再生することが出来る。また、本発明の実施の形態１とは異なるチャンネル切り替え方法やチャンネルの切り替え方法を実装せず音声処理部で信号を入れ替えるような用いたシステム。或いは、電源投入ではなく押しボタン等をＩＤ検出のトリガに用いるシステム。或いはプラズマディスプレイ以外の表示装置を備えるシステム等にも本発明の機能が流用できることは明らかである。
【００１４】
（実施の形態２）
図４は、本発明の実施の形態２におけるシアター本体１の構成図である。シアター本体１は、赤外線リモコン受信部２１、無線送受信部２２、ＨＤＭＩ映像音声入出力２３、音声信号処理部２４、ユーザーインターフェース処理部２５、テスト信号生成制御部２６、機器ＩＤ検出部２７、スピーカーＣＨ設定処理部２８、スピーカー設定記憶部２９からなる。この内、ユーザーインターフェース処理部２５、テスト信号生成制御部２６、機器ＩＤ検出部２７、スピーカーＣＨ設定処理部２８は処理装置ＭＰＵ上でソフトウェアによって実行される。実施の形態１におけるシアター本体１との違いは、新たにテスト信号生成制御部２６があることである。
【００１５】
図６は、本発明の実施の形態２にかかるシアター本体の自動位置設定時におけるワイヤレスシアターシステムの処理装置ＭＰＵの動作を示すフローチャートである。以下、これらの図を参照して説明する。
【００１６】
スピーカーの設置設定をする際のシアターシステムの動作は、図６のように、まずシアター本体１のユーザーインターフェース処理部２５にてスピーカーの位置設定を開始することをユーザーに通知する画面を生成し、ＨＤＭＩ映像音声入出力２３を経由して、ディスプレイ３に出力する（Ｓ１１０）。次に、全てのスピーカーを起動することを促す画面を同様にディスプレイ３に出力する（Ｓ１１１）。この時、機器ＩＤ検出部２７でシアター本体１が管理するネットワークに参加しているワイヤレススピーカー２を判別し、すべての必要なワイヤレススピーカー２が認識されるまでワイヤレススピーカー２の電源の投入を促す画面をディスプレイ３に出力し続ける（Ｓ１１２）。スピーカーＣＨ設定処理部２８は４本すべてワイヤレススピーカー２が機器ＩＤ検出部２７で検出されると、全てのワイヤレススピーカー２に対して仮のチャンネル設定を行う（Ｓ１１３）。この時、ワイヤレススピーカー２を機器ＩＤ検出部２７で検出した順に音声チャンネルを割り当てる。次に、テスト信号生成制御部２６はユーザーに個々のワイヤレススピーカー２からテスト信号が出力された場所をメニューまたは赤外線リモコン４のボタンで入力するように促す画面をディスプレイ３に出力し（Ｓ１１４）、チャンネル順に音声信号処理部２４で生成したテスト信号を無線送受信部２２で送信される音声チャンネルに入力し（Ｓ１１５）、赤外線リモコン受信部２１からのユーザーの入力待ちを行う。この時、個々のワイヤレススピーカー２では通信データ処理部１７がシアター本体１から仮のチャンネル設定を受け取り、受信ＣＨ切り替え処理部１８が仮の設定に従って、無線送受信部１４にて受信するチャンネルを切り替えることにより、スピーカーに対応したチャンネルのテスト信号出力を行う。ユーザーがテスト信号出力のあったワイヤレススピーカー２の位置を赤外線リモコン４或いはディスプレイ３に表示されたメニューで入力すると（Ｓ１１６）、スピーカーＣＨ設定処理部２８はワイヤレススピーカー２の機器ＩＤとユーザーから入力された位置情報を設定記憶部２９に保存する（Ｓ１１７）。同様に、ワイヤレススピーカー２の数だけテスト信号出力とユーザーによるリモコン入力、そして機器ＩＤと位置情報の保存を繰り返す（Ｓ１１８）。シアター本体１は全てのワイヤレススピーカー２の位置情報を設定記憶部２９に保存した後、設定記憶部２９の値にしたがって、無線送受信部２２から送信される音声チャンネルの内、位置に応じた適切なチャンネルを受信するように全てのワイヤレススピーカー２の受信チャンネル設定をワイヤレススピーカー２の制御装置に指示する（Ｓ１１９）。ワイヤレススピーカー２の受信ＣＨ切り替え処理部１８ではシアター本体１から指示された受信チャンネル設定を受信ＣＨ設定記憶部２０に記録し、無線送受信部１４に受信チャンネルを設定する。
【００１７】
以上により、ディップスイッチなどの特別な入力装置を必要とせずに、同時に音声の出力を実際に確認しながら、設置位置に合わせた適切な音声チャンネルを各スピーカーで再生することが出来る。また、本発明の実施の形態２と異なるチャンネルの切り替え方法を用いたシステムやワイヤレス以外の伝送方式を用いたシステム、或いはディスプレイ以外の表示装置を備えるシステムやスピーカーの本数が異なるシステム等にも本発明の機能が流用できることは明らかである。
【産業上の利用可能性】
【００１８】
ペアリング機能を有するワイヤレス、ＰＬＣ或いはその他のネットワーク機器に利用可能である。
【符号の説明】
【００１９】
１    シアター本体
２    ワイヤレスピーカー
３    ディスプレイ
４    赤外線リモコン
５    ユーザーインターフェース処理部
６    機器ＩＤ検出部
７    スピーカーＣＨ設定処理部
８    赤外線リモコン受信部
９    無線送受信部
１０    ＨＤＭＩ映像音声入出力
１１    音声信号処理部
１２    スピーカー設定記憶部
１３    ペアリングボタン
１４    無線送受信部
１５    音声アンプ出力部
１６    電源スイッチ
１７    通信データ処理部
１８    受信ＣＨ切り替え処理部
１９    機器ＩＤ記憶部
２０    受信ＣＨ設定記憶部
２１    赤外線リモコン受信部
２２    無線送受信部
２３    ＨＤＭＩ映像音声入出力
２４    音声信号処理部
２５    ユーザーインターフェース処理部
２６    テスト信号生成制御部
２７    機器ＩＤ検出部
２８    スピーカーＣＨ設定処理部
２９    スピーカー設定記憶部
【図１】
2010252134.tif 000003
【図２】
2010252134.tif 000004
【図３】
2010252134.tif 000005
【図４】
2010252134.tif 000006
【図５】
2010252134.tif 000007
【図６】
2010252134.tif 000008